(57)【要約】  表示装置（１）は、受付部（１１）と、生成部（１２）とを、表示部（４０）とを備える。受付部（１１）は、ページ画像Ｐがシートに形成されるときのページ画像Ｐの配置の設定を受け付ける。生成部（１２）は、配置の設定に基づいて、ページ画像Ｐを識別する識別画像Ｄが配置されたプレビュー画像（ＡＰ）を生成する。表示部（４０）は、プレビュー画像（ＡＰ）を表示する。プレビュー画像（ＡＰ）において、識別画像Ｄの配置はページ画像Ｐがシートに形成されるときの配置を示す。識別画像Ｄのデータサイズは、ページ画像Ｐのデータサイズよりも小さい。
2020174944.tif 000002
【特許請求の範囲】
【請求項１】
ページ画像がシートに形成されるときの前記ページ画像の配置の設定を受け付ける受付部と、
前記配置の設定に基づいて、前記ページ画像を識別する識別画像が配置されたプレビュー画像を生成する生成部と、
前記プレビュー画像を表示する表示部と
を備え、
前記プレビュー画像において、前記識別画像の配置は前記ページ画像が前記シートに形成されるときの配置を示し、
前記識別画像のデータサイズは、前記ページ画像のデータサイズよりも小さい、表示装置。
【請求項２】
前記識別画像は、前記ページ画像を縮小した縮小画像と異なる画像であり、
前記識別画像のデータサイズは、前記縮小画像のデータサイズよりも小さい、請求項１に記載の表示装置。
【請求項３】
前記識別画像は、前記ページ画像のページ番号を示すページ番号画像を含む、請求項１に記載の表示装置。
【請求項４】
前記ページ画像は、複数の文字によって構成される文字列画像を含み、
前記ページ番号画像は、複数の文字によって構成され、
前記生成部は、前記文字列画像を構成する前記複数の文字が配列される方向に応じて、前記ページ番号画像を構成する前記複数の文字が配列される方向を変更する、請求項３に記載の表示装置。
【請求項５】
前記ページ画像は、複数の文字によって構成される文字列画像を含み、
前記ページ番号画像は、複数の文字によって構成され、
前記生成部は、前記文字列画像を構成する前記複数の文字の種類に応じて、前記ページ番号画像を構成する前記複数の文字の種類を変更する、請求項３に記載の表示装置。
【請求項６】
前記ページ画像がピクチャを含む場合、前記生成部は、前記識別画像にアイコン画像を含ませ、
前記アイコン画像のデータサイズは、前記ピクチャのデータサイズよりも小さい、請求項１に記載の表示装置。
【請求項７】
前記アイコン画像は、予め前記表示装置が記憶する表示装置用アイコン画像、又は前記表示装置用アイコン画像を加工した加工画像である、請求項６に記載の表示装置。
【請求項８】
前記表示部に表示された前記プレビュー画像に対する操作を検出する検出部をさらに備え、
前記ページ画像は複数であり、
前記識別画像は複数であり、
前記検出部が前記プレビュー画像に対する操作を検出することに応じて、前記表示部は、表示している前記識別画像と異なる識別画像を表示し、
前記検出部が、所定回数以上の前記プレビュー画像に対する操作と、前記プレビュー画像に対する操作を検出してから所定時間が経過することと、所定枚数の前記プレビュー画像の表示との少なくとも１つを検出することに応じて、前記表示部は、前記プレビュー画像に含まれる前記識別画像を前記ページ画像に置き換える、請求項１に記載の表示装置。
【発明の詳細な説明】
【技術分野】
【０００１】
本発明は、表示装置に関する。
【背景技術】
【０００２】
特許文献１に記載の印刷設定装置では、インターフェイス部は、ユーザーから印刷設定の情報（印刷部数、モノクロ／カラーの選択、ステイプルやホールパンチの指定、両面、片面印刷設定等）を受け付けた。インターフェイス部によって表示される設定画面には、印刷プレビュー画像表示領域と読み込み画像表示領域とが含まれていた。読み込み画像表示領域には、印刷対象画像を縮小した読み込み画像が一覧表示された。
【先行技術文献】
【特許文献】
【０００３】
【特許文献１】特開２０１２−８１７５７号公報
【発明の概要】
【発明が解決しようとする課題】
【０００４】
しかしながら、特許文献１に記載の印刷設定装置では、設定画面の読み込み画像表示領域に印刷対象画像を縮小して表示させるため、設定画面を表示するために時間がかかっていた。【０００５】
本発明は上記課題に鑑みてなされたものであり、その目的は、ページ画像がシートに形成されるときのページ画像の配置を速やかに確認できる表示装置を提供することにある。
【課題を解決するための手段】
【０００６】
本発明の観点によれば、表示装置は、受付部と、生成部と、表示部とを備える。前記受付部は、ページ画像がシートに形成されるときの前記ページ画像の配置の設定を受け付ける。前記生成部は、前記配置の設定に基づいて、前記ページ画像を識別する識別画像が配置されたプレビュー画像を生成する。前記表示部は、前記プレビュー画像を表示する。前記プレビュー画像において、前記識別画像の配置は前記ページ画像が前記シートに形成されるときの配置を示す。前記識別画像のデータサイズは、前記ページ画像のデータサイズよりも小さい。
【発明の効果】
【０００７】
本発明によれば、ページ画像がシートに形成されるときのページ画像の配置を速やかに確認できる。
【図面の簡単な説明】
【０００８】
【図１】本発明の実施形態１に係る表示装置を示す図である。
【図２】実施形態１に係る生成部が生成したプレビュー画像の一例を示す図である。
【図３】図２に示すシート画像がめくられた状態のプレビュー画像を示す。
【図４】図２に示すシート画像がめくられた状態のプレビュー画像を示す。
【図５】実施形態１に係る識別画像がページ画像に置き換えられたプレビュー画像を示す。
【図６】実施形態１に係る生成部が生成したプレビュー画像の他の一例を示す図である。
【図７】図６に示すシート画像がめくられた状態のプレビュー画像を示す。
【図８】図６に示すシート画像がめくられた状態のプレビュー画像を示す。
【図９Ａ】プレビュー画像の他の一例を示す図である。
【図９Ｂ】図９Ａに示すシート画像の次のシート画像を示す。
【図１０】実施形態１に係る表示装置が実行する処理を示すフローチャートである。
【図１１Ａ】実施形態２に係るページ画像を示す。
【図１１Ｂ】実施形態２に係るページ画像を示す。
【図１１Ｃ】実施形態２に係るページ画像を示す。
【図１１Ｄ】実施形態２に係るページ画像を示す。
【図１２】実施形態２に係る生成部が生成したプレビュー画像を示す。
【発明を実施するための形態】
【０００９】
以下、図面を参照して本発明の実施形態を説明する。ただし、本発明は以下の実施形態に限定されない。図中、同一又は相当部分については同一の参照符号を付して説明を繰り返さない。
【００１０】
（実施形態１）
まず、図１を参照して、実施形態１に係る表示装置１について説明する。図１は、表示装置１を示す図である。表示装置１は、制御部１０と、読取部３０と、表示部４０とを備える。表示装置１は、例えば、画像形成装置、パーソナルコンピューター、スマートフォン、又はプリンターであってもよい。また、表示装置１は、例えば、画像形成装置、パーソナルコンピューター、スマートフォン、又はプリンターに搭載されていてもよい。
【００１１】
制御部１０は、プロセッサー及び記憶部を備える。プロセッサーは、例えばＣＰＵ（Ｃｅｎｔｒａｌ  Ｐｒｏｃｅｓｓｉｎｇ  Ｕｎｉｔ）又はＭＰＵ（Ｍｉｃｒｏ  Ｐｒｏｃｅｓｓｉｎｇ  Ｕｎｉｔ）を含む。記憶部は、半導体メモリーのようなメモリーを備え、ＨＤＤ（Ｈａｒｄ  Ｄｉｓｋ  Ｄｒｉｖｅ）を備えてもよい。記憶部は、コンピュータープログラムを記憶している。制御部１０は、表示装置１の各要素を制御する。具体的には、制御部１０が、記憶部に格納されたコンピュータープログラムを実行することにより、読取部３０及び表示部４０を制御する。また、制御部１０は、記憶部に記憶されたコンピュータープログラムを実行することにより、受付部１１、生成部１２及び検出部１３として機能する。つまり、制御部１０は、受付部１１、生成部１２及び検出部１３を含む。受付部１１、生成部１２及び検出部１３の詳細については後述する。
【００１２】
読取部３０は、シートに形成された画像を読み取る。例えば、読取部３０は、原稿に形成された画像を読み取る。そして、読取部３０はページ画像Ｐを生成する。ページ画像Ｐについては後述する。
【００１３】
表示部４０は、画像を表示すると共に、ユーザーからの操作を受け付ける。表示部４０は、ディスプレー４１及びタッチセンサー４２を備える。ディスプレー４１は、例えば、液晶パネル、又は有機エレクトロルミネッセンス（有機ＥＬ）パネルである。タッチセンサー４２は、ユーザーからの操作を受け付け、ユーザーの操作に応じた操作信号を制御部１０に入力する。タッチセンサー４２は、例えばディスプレー４１の表示面上に配置される。
【００１４】
次に、図２を参照して、プレビュー画像ＡＰについて説明する。図２は、プレビュー画像ＡＰの一例を示す図である。まず、受付部１１は、ユーザーからページ画像がシートに形成されるときのページ画像の配置の設定を受け付ける。本実施形態において、ページ画像は複数である。また、本実施形態において、受付部１１は、１枚のシートの両面にページ画像を配置する設定を受け付ける。さらに、受付部１１は、シートの両面にそれぞれ２つのページ画像を配置する設定を受け付ける。さらに、受付部１１は、シートの長辺と短辺とのうち、シートの長辺を軸としてシートを捲れるようにページ画像を配置する設定を受け付ける。さらに、受付部１１は、シートを捲る向きが左開きであるようにページ画像を配置する設定を受け付ける。つまり、受付部１１は、シートを見開き状態にする場合、左側のページ画像のページ番号よりも右側のページ画像のページ番号の方が大きくなるようにページ画像を配置する設定を受け付ける。さらに、受付部１１は、表紙をつけてシートにページ画像を形成するように、ページ画像を配置する設定を受け付ける。
【００１５】
生成部１２は、受付部１１が受け付けたページ画像の配置の設定に基づいて、ページ画像がシートに形成される状態を示すプレビュー画像ＡＰを生成する。そして、表示部４０は、生成部１２によって生成されたプレビュー画像ＡＰを表示する。
【００１６】
図２に示すように、プレビュー画像ＡＰは、シート画像Ｓ１ｂ、Ｓ２ａとシート番号画像ＳＮ１、ＳＮ２と、識別画像Ｄ１〜Ｄ４とを含む。シート画像Ｓ１ｂ、Ｓ２ａは、ページ画像が形成されるシートを示す。シート画像Ｓ１ｂは、ページ画像が形成される複数のシートのうちの１枚目のシートの一方の面に対応している。また、シート画像Ｓ２ａは、ページ画像が形成される複数のシートのうちの２枚目のシートの一方の面に対応している。なお、ページ画像が形成される複数のシートのうちの１枚目のシートの他方の面には、シート画像Ｓ１ａが対応している。また、ページ画像が形成される複数のシートのうちの２枚目のシートの他方の面には、シート画像Ｓ２ｂが対応している。本実施形態において、以下、シート画像Ｓ１ａ〜ＳＮｂの各々を区別して説明する必要のないときは、シート画像Ｓ１ａ〜ＳＮｂを総称して「シート画像Ｓ」と記載する。
【００１７】
シート番号画像ＳＮ１、ＳＮ２は、ページ画像が形成されるシートの番号を示す。シート番号画像ＳＮ１は、ページ画像が形成される複数のシートのうちの１枚目のシートの番号に対応している。また、シート番号画像ＳＮ２は、ページ画像が形成される複数のシートのうちの２枚目のシートのシート番号に対応している。以下、シート番号画像ＳＮ１〜ＳＮＮの各々を区別して説明する必要のないときは、シート番号画像ＳＮ１〜ＳＮＮを総称して「シート番号画像ＳＮ」と記載する。
【００１８】
識別画像Ｄ１〜Ｄ４は、複数のページ画像の各々を識別する。識別画像Ｄ１は、複数のページ画像のうちの１枚目のページ画像に対応している。また、識別画像Ｄ２は、複数のページ画像のうちの２枚目のページ画像に対応している。さらに、識別画像Ｄ３は、複数のページ画像のうちの３枚目のページ画像に対応している。さらに、識別画像Ｄ４は、複数のページ画像のうちの４枚目のページ画像に対応している。本実施形態において、以下、識別画像Ｄ１〜ＤＮの各々を区別して説明する必要のないときは、識別画像Ｄ１〜ＤＮを総称して「識別画像Ｄ」と記載する。
【００１９】
複数の識別画像Ｄの各々のデータサイズは、複数のページ画像の各々のデータサイズよりも小さい。従って、表示部４０がプレビュー画像ＡＰを表示するときに、ページ画像を表示するよりも、識別画像Ｄを表示する方が速い。その結果、ユーザーはページ画像がシートに形成されるときのページ画像の配置を速やかに確認できる。
【００２０】
本実施形態において、識別画像Ｄは、本体画像Ｂと、枠画像Ｆとを含む。本体画像Ｂは、実際にシートに形成されるページ画像を示す。枠画像Ｆは、実際にページ画像がシートに形成される範囲（以下、印刷範囲と記載する場合がある）を示す。すなわち、枠画像Ｆは、印刷範囲と印刷範囲外との境界に表示される。ただし、枠画像Ｆの形状及び／又は範囲は、ページ画像の形状及び／又は範囲と一致する場合もあるし、略一致する場合もあるし、異なる場合もある。枠画像Ｆは、例えば、矩形形状を有する。枠画像Ｆは、例えば、ユーザーから受け付けたページ画像の配置の設定に応じて、サイズ、形状及び／又は配置が変更される。ただし、枠画像Ｆは、プレビュー画像ＡＰにおいて、単にシートに形成されるページ画像の印刷範囲を示すものであり、定型的な処理で表示される固定部として機能する。なお、プレビュー画像ＡＰにおいて、本体画像Ｂの色を、識別画像Ｄ以外の部分の色と異ならせるように表示してもよいし、本体画像Ｂの色の濃度を、識別画像Ｄ以外の部分の色の濃度と異ならせるように表示してもよい。
【００２１】
本体画像Ｂは、ページ画像のページ番号を示すページ番号画像ＰＮ１〜ＰＮ４を含む。すなわち、識別画像Ｄは、ページ番号画像ＰＮ１〜ＰＮ４を含む。ページ番号画像ＰＮ１は、複数のページ画像のうちの１枚目のページ画像のページ番号に対応している。また、ページ番号画像ＰＮ２は、複数のページ画像のうちの２枚目のページ画像のページ番号に対応している。さらに、ページ番号画像ＰＮ３は、複数のページ画像のうちの３枚目のページ画像のページ番号に対応している。さらに、ページ番号画像ＰＮ４は、複数のページ画像のうちの４枚目のページ画像のページ番号に対応している。従って、プレビュー画像ＡＰが表示されるときに、ページ画像が表示されなくても、ユーザーは、ページ番号画像ＰＮ１〜ＰＮ４を確認してページ画像がシートに形成されるときの順序を確認できる。その結果、ユーザーは容易にページ画像の配置を確認できる。
【００２２】
以上、図２を参照して説明したことから、識別画像Ｄは、ページ画像を縮小した縮小画像と異なる画像である。加えて、識別画像Ｄの各々のデータサイズは、複数の縮小画像の各々のデータサイズよりも小さい。従って、表示部４０がプレビュー画像ＡＰを表示するときに、縮小画像を表示するよりも、識別画像Ｄを表示する方が速い。その結果、ユーザーはページ画像がシートに形成されるときのページ画像の配置を、確実に速く確認できる。なお、図５を参照して後述するプレビュー画像ＡＰに表示されるページ画像Ｐは、縮小画像の一例である。
【００２３】
ここで、識別画像Ｄのデータサイズが、ページ画像のデータサイズよりも小さいとは、以下（ｉ）及び（ｉｉ）の少なくとも１つに相当する。
（ｉ）プレビュー画像ＡＰにおいて、印刷範囲に識別画像Ｄを表示させる場合の方が、印刷範囲にページ画像の縮小画像を表示させる場合よりも、制御部１０の記憶部を構成するＶＲＡＭ（Ｖｉｄｅｏ  Ｒａｎｄｏｍ  Ａｃｃｅｓｓ  Ｍｅｍｏｒｙ）の使用量が少ない。識別画像Ｄの本体画像Ｂは、印刷範囲の一部に表示され、縮小画像は印刷範囲の全体に表示されるからである。
（ｉｉ）識別画像Ｄを制御部１０の記憶部に記憶させるためのメモリーの使用量の方が、縮小画像を制御部１０の記憶部に記憶させるためのメモリーの使用量よりも小さい。また、印刷範囲に識別画像Ｄを表示させる際のメモリーの使用量の方が、印刷範囲に縮小画像を表示させる際のメモリーの使用量よりも小さい。例えば、識別画像Ｄを記憶部に記憶させるためには、例えば、枠画像Ｆの線分の位置座標と、本体画像Ｂに含まれるページ番号画像ＰＮのテキスト情報、及びテキストの色情報とを記憶部に記憶させるため、メモリーの使用量が少なくなるからである。また、ビットマップデータ等のように識別画像Ｄを画像データとして記憶部に記憶させる場合であっても、識別画像Ｄの画像データを構成する画素数は少ないため、メモリーの使用量が少なくなるからである。
【００２４】
すなわち、識別画像Ｄ又は本体画像ＢのＶＲＡＭの使用量、あるいは、識別画像Ｄ又は本体画像Ｂを記憶したり、表示処理したりする際のメモリーの使用量の方が、表示装置１が記憶するページ画像のデータサイズよりも小さい。なお、ページ画像が、シートに何も形成しない（白紙）などの特殊なデータを含む場合、識別画像Ｄのデータサイズは、ページ画像のデータサイズよりも大きくなる場合があるが、上述の（ｉ）及び（ｉｉ）に示す識別画像Ｄのデータサイズとページ画像のデータサイズとについては、多くの識別画像Ｄとページ画像とに対して成り立つ。
【００２５】
次に、図２〜図５を参照して、プレビュー画像ＡＰの表示内容の切り替えについて説明する。シートの両面にページ画像が形成される場合、検出部１３がプレビュー画像ＡＰに対する操作を検出することに応じて、表示部４０は、表示しているシート画像Ｓと異なるシート画像Ｓを表示する。すなわち、検出部１３がプレビュー画像ＡＰに対する操作を検出することに応じて、表示部４０は、表示している識別画像Ｄと異なる識別画像Ｄを表示する。
【００２６】
プレビュー画像ＡＰに対する操作は、例えば、表示部４０に表示されたプレビュー画像ＡＰに対して接触する接触操作である。接触操作は、例えば、タップ操作、フリック操作、スライド操作、スワイプ操作、ピンチイン操作、及びピンチアウト操作のような表示部４０に対する操作を示す。フリック操作、スライド操作、スワイプ操作、ピンチイン操作、及びピンチアウト操作のような接触操作では、表示部４０を接触しつつ移動する接触点の移動する方向が限定されてもよい。
【００２７】
本実施形態において、プレビュー画像ＡＰに対する操作は、プレビュー画像ＡＰの左側に表示されたシート画像Ｓ１ｂに対して左方向に移動するスライド操作、及びプレビュー画像ＡＰの右側に表示されたシート画像Ｓ２ａに対して右方向に移動するスライド操作である。つまり、プレビュー画像ＡＰに対して電子書籍のページを捲るような操作が検出されることに応じて、プレビュー画像ＡＰの表示内容が切り替えられる。従って、実際に電子書籍めくるような感覚でプレビュー画像ＡＰの表示内容を切り替えることができる
【００２８】
図２に示すプレビュー画像ＡＰのうちシート画像Ｓ１ｂに対する操作が検出されることに応じて、表示部４０は、シート画像Ｓ１ｂがめくられた状態のプレビュー画像ＡＰを表示する。図３は、図２に示すシート画像Ｓ１ｂがめくられた状態のプレビュー画像ＡＰを示す。シート画像Ｓ１ｂがめくられた状態のプレビュー画像ＡＰは、シート画像Ｓ１ａとシート番号画像ＳＮ１と、識別画像ＤＦとを含む。本実施形態において、識別画像ＤＦは、本体画像Ｂを含む。また、本実施形態において、本体画像Ｂは、表紙画像ＣＰを含む。表紙画像ＣＰは、表示されているシート画像Ｓ１ａが表紙であることを示す。
【００２９】
一方、図２に示すプレビュー画像ＡＰのうちシート画像Ｓ２ａに対する操作が検出されることに応じて、表示部４０は、シート画像Ｓ２ａがめくられた状態のプレビュー画像ＡＰを表示する。図４は、図２に示すシート画像Ｓ２ａがめくられた状態のプレビュー画像ＡＰを示す。シート画像Ｓ２ａがめくられた状態のプレビュー画像ＡＰは、シート画像Ｓ２ｂ、Ｓ３ａとシート番号画像ＳＮ２、ＳＮ３と、識別画像Ｄ５〜Ｄ８とを含む。シート画像Ｓ２ｂは、ページ画像が形成される複数のシートのうちの２枚目のシートの他方の面に対応している。識別画像Ｄ５〜Ｄ８は、それぞれページ番号画像ＰＮ５〜ＰＮ８を含む。
【００３０】
検出部１３が、所定回数以上のプレビュー画像ＡＰに対する操作と、プレビュー画像ＡＰに対する操作を検出してから所定時間が経過することと、所定枚数の識別画像Ｄが表示されることとの少なくとも１つを検出することに応じて、表示部４０は、プレビュー画像ＡＰに含まれる識別画像Ｄをページ画像Ｐに置き換えて、プレビュー画像ＡＰを表示する。従って、簡易な操作でプレビュー画像ＡＰにページ画像Ｐを表示させることができる。その結果、プレビュー画像ＡＰを確認するときに、ユーザーは、簡易な操作でページ画像Ｐの内容も確認できる。
【００３１】
図５は、識別画像Ｄがページ画像Ｐに置き換えられたプレビュー画像ＡＰを示す。本実施形態において、所定回数は２回である。従って、検出部１３がプレビュー画像ＡＰに対する操作を２回検出することに応じて、表示部４０は、識別画像Ｄ９〜Ｄ１２をページ画像Ｐ９〜Ｐ１２に置き換えて、プレビュー画像ＡＰを表示する。なお、所定回数はユーザーが任意に設定する。
【００３２】
また、所定時間が３秒である場合、プレビュー画像ＡＰに対する操作が検出されてから３秒が経過することに応じて、表示部４０は、識別画像Ｄ９〜Ｄ１２をページ画像Ｐ９〜Ｐ１２に置き換えて、プレビュー画像ＡＰを表示してもよい。また、所定枚数が８枚である場合、検出部１３が識別画像Ｄを８枚表示した後にプレビュー画像ＡＰに対する操作が検出されることに応じて、表示部４０は、識別画像Ｄ９〜Ｄ１２をページ画像Ｐ９〜Ｐ１２に置き換えて、プレビュー画像ＡＰを表示してもよい。なお、所定時間及び所定枚数は、ユーザーが任意に設定する。従って、簡易な操作でプレビュー画像ＡＰにページ画像Ｐを表示させることができる。その結果、プレビュー画像ＡＰを確認するときに、ユーザーは、簡易な操作でページ画像Ｐの内容も確認できる。
【００３３】
次に、図６〜図８を参照して、プレビュー画像ＡＰの表示内容の切り替えについてさらに説明する。図６は、プレビュー画像ＡＰの他の一例を示す図である。本実施形態において、ページ画像は複数である。受付部１１は、１枚のシートの両面にページ画像を配置する設定を受け付ける。また、受付部１１は、シートの両面にそれぞれ２つのページ画像を配置する設定を受け付ける。さらに、受付部１１は、シートの長辺と短辺とのうち、シートの短辺を軸としてシートを捲るようにページ画像を配置する設定を受け付ける。さらに、受付部１１は、シートを捲る向きが上開きであるようにページ画像を配置する設定を受け付ける。つまり、受付部１１は、シートを見開き状態にする場合、上側のページ画像のページ番号よりも下側のページ画像のページ番号の方が大きくなるようにページ画像を配置する設定を受け付ける。
【００３４】
図６に示すように、プレビュー画像ＡＰは、シート画像Ｓ１ｂ、Ｓ２ａとシート番号画像ＳＮ１、ＳＮ２と、識別画像Ｄ３〜Ｄ６とを含む。本実施形態において、プレビュー画像ＡＰに対する操作は、プレビュー画像ＡＰの上側に表示されたシート画像Ｓ１ｂに対して上向に移動するスライド操作、及びプレビュー画像ＡＰの下側に表示されたシート画像Ｓ２ａに対して下方向に移動するスライド操作である。
【００３５】
図６に示すプレビュー画像ＡＰのうちシート画像Ｓ１ｂに対する操作が検出されることに応じて、表示部４０は、シート画像Ｓ１ｂがめくられた状態のプレビュー画像ＡＰを表示する。図７は、図６に示すシート画像Ｓ１ｂがめくられた状態のプレビュー画像ＡＰを示す。図７に示すように、プレビュー画像ＡＰは、シート画像Ｓ１ａとシート番号画像ＳＮ１と識別画像Ｄ１、Ｄ２とを含む。識別画像Ｄ１、Ｄ２は、それぞれ、本体画像Ｂと枠画像Ｆとを含む。本体画像Ｂは、ページ番号画像ＰＮ１、ＰＮ２を含む。
【００３６】
一方、図６に示すプレビュー画像ＡＰのうちシート画像Ｓ２ａに対する操作が検出されることに応じて、表示部４０は、シート画像Ｓ２ａがめくられた状態のプレビュー画像Ａを表示する。図８は、図６に示すシート画像Ｓ２ａがめくられた状態のプレビュー画像ＡＰを示す。図８に示すように、シート画像Ｓ２ａがめくられた状態のプレビュー画像ＡＰは、シート画像Ｓ２ｂ、Ｓ３ａとシート番号画像ＳＮ２、ＳＮ３と、識別画像Ｄ７〜Ｄ１０とを含む。識別画像Ｄ７〜Ｄ１０は、それぞれページ番号画像ＰＮ７〜ＰＮ１０を含む。
【００３７】
次に、図９Ａ及び図９Ｂを参照して、プレビュー画像ＡＰの表示内容の切り替えについてさらに説明する。本実施形態において、ページ画像は複数である。受付部１１は、１枚のシートの片面のみにページ画像を配置する設定を受け付ける。また、受付部１１は、１枚のシートに２つのページ画像を配置する設定を受け付ける。
【００３８】
図９Ａは、プレビュー画像ＡＰの他の一例を示す図である。シートの片面のみにページ画像が配置される場合、表示部４０は、プレビュー画像ＡＰに加えて変更ボタンＢｕ１、Ｂｕ２を表示する。変更ボタンＢｕ１、Ｂｕ２は、表示されているシート画像Ｓを変更するためのボタンである。
【００３９】
検出部１３が変更ボタンＢｕ２に対する操作を検出することに応じて、表示部４０は、シート画像Ｓ１の次のシート画像Ｓ２を表示する。すなわち、検出部１３が変更ボタンＢｕ２に対する操作を検出することに応じて、表示部４０は、表示している識別画像Ｄ１、Ｄ２と異なる識別画像Ｄ３、Ｄ４を表示する。なお、シート画像Ｓ１は、複数のシート画像Ｓの先頭であるため、変更ボタンＢｕ１に対する操作が検出されても、表示されているシート画像Ｓ１は変更されない。プレビュー画像ＡＰが複数のシート画像Ｓの先頭のシート画像Ｓ１を含む場合、変更ボタンＢｕ１をグレーアウトで表示し、選択不能であることをユーザーに視覚的に認識させてもよい。また、プレビュー画像ＡＰが複数のシート画像Ｓの末尾のシート画像ＳＬを含む場合、変更ボタンＢｕ２をグレーアウトで表示し、選択不能であることをユーザーに視覚的に認識させてもよい。
【００４０】
図９Ｂは、図９Ａに示すシート画像Ｓ１の次のシート画像Ｓ２を示す。図９Ｂに示すように、シート画像Ｓ２は、シート番号画像ＳＮ２と識別画像Ｄ３、Ｄ４とを含む。識別画像Ｄ３、Ｄ４は、ページ番号画像ＰＮ３、ＰＮ４を含む。検出部１３が変更ボタンＢｕ１に対する操作を検出することに応じて、表示部４０は、シート画像Ｓ２の前のシート画像Ｓ１を表示する。
【００４１】
次に、図１０を参照して、実施形態１に係る表示装置１が実行する処理について説明する。図１０は、実施形態１に係る表示装置１が実行する処理を示すフローチャートである。ステップＳ１０において、受付部１１は、ページ画像Ｐを受け付ける。例えば、制御部１０は、読取部３０を制御して原稿の画像を読み取らせる。その結果、読取部３０が、原稿の画像を読み取ってページ画像Ｐを生成する。受付部１１は、読取部３０が生成したページ画像Ｐを受け付ける。
【００４２】
次に、ステップＳ１５において、受付部１１は、ページ画像Ｐがシートに形成されるときのページ画像Ｐの配置の設定を受け付ける。ステップＳ２０において、生成部１２は、ステップＳ１５で受付部１１が受け付けたページ画像Ｐの配置の設定に基づいて、ページ画像Ｐがシートに形成される状態を示すプレビュー画像ＡＰを生成する。
【００４３】
次に、ステップＳ２５において、検出部１３は、プレビュー画像ＡＰに対する操作を検出する。ステップＳ３０において、制御部１０は、表示部４０を制御して、表示されている識別画像Ｄと異なる識別画像Ｄを表示させる。その結果、表示部４０は、表示している識別画像Ｄと異なる識別画像Ｄを表示する。
【００４４】
ステップＳ３５において、検出部１３は、所定回数以上のプレビュー画像ＡＰに対する操作を検出したか否かを判定する。ステップＳ３５において否定的判定（ＮＯ）がされる場合、処理はステップＳ２５に進み、検出部１３は、再度プレビュー画像ＡＰに対する操作を検出し、表示部４０は、示している識別画像Ｄと異なる識別画像Ｄを表示する。一方、ステップＳ３５において肯定的判定（ＹＥＳ）がされる場合、処理はステップＳ４０に進む。
【００４５】
ステップＳ４０において、制御部１０は、表示部４０を制御して、プレビュー画像ＡＰに含まれる識別画像Ｄをページ画像Ｐに置き換えて、プレビュー画像ＡＰを表示させる。その結果、表示部４０は、プレビュー画像ＡＰに含まれる識別画像Ｄをページ画像Ｐに置き換えて、プレビュー画像ＡＰを表示する。
【００４６】
以上、図１０を参照して説明したように、本実施形態によれば、プレビュー画像ＡＰには、識別画像Ｄが含まれている。識別画像Ｄのデータサイズは、ページ画像Ｐのデータサイズよりも小さい。従って、プレビュー画像ＡＰにページ画像Ｐが含まれている場合よりも、速くプレビュー画像ＡＰを表示できる。その結果、ユーザーは、ページ画像Ｐがシートに形成されるときのページ画像Ｐの配置を速やかに確認できる。
【００４７】
また、本実施形態によれば、プレビュー画像ＡＰに対する所定回数以上の操作が検出される場合、識別画像Ｄをページ画像Ｐに置き換えてプレビュー画像ＡＰが表示される。従って、簡易な操作でプレビュー画像ＡＰにページ画像Ｐを表示させることができる。その結果、プレビュー画像ＡＰを確認するときに、ユーザーは、簡易な操作でページ画像Ｐの内容も確認できる。
【００４８】
（実施形態２）
次に、図１、図１１及び図１２を参照して実施形態２に係る表示装置１について説明する。実施形態２では、実施形態１に係るページ番号画像ＰＮがページ画像Ｐの内容に応じて変更される点で、実施形態２は実施形態１と異なる。以下、実施形態２について、実施形態１と異なる事項について説明し、実施形態１と重複する部分についての説明は割愛する。
【００４９】
図１１Ａ〜図１１Ｄは、ページ画像Ｐ１〜Ｐ４を示す図である。図１１Ａは、ページ画像Ｐ１を示す。ページ画像Ｐ１は、文字列画像Ｃ１を含む。文字列画像Ｃ１は、複数の文字によって構成される。文字列画像Ｃ１を構成する複数の文字が配列される方向は、縦方向である。また、文字列画像Ｃ１を構成する複数の文字の種類は、平仮名及び漢字である。さらに、ページ画像Ｐ１は、モノクロ画像である。
【００５０】
図１１Ｂは、ページ画像Ｐ２を示す。ページ画像Ｐ２は、文字列画像Ｃ２を含む。文字列画像Ｃ２は、複数の文字によって構成される。文字列画像Ｃ２を構成する複数の文字が配列される方向は、横方向である。また、文字列画像Ｃ２を構成する複数の文字の種類は、アルファベットである。さらに、ページ画像Ｐ１は、モノクロ画像である。
【００５１】
図１１Ｃは、ページ画像Ｐ３を示す。ページ画像Ｐ３は、文字列画像Ｃ３を含む。文字列画像Ｃ３は、複数の文字によって構成される。文字列画像Ｃ３を構成する複数の文字が配列される方向は、横方向である。また、文字列画像Ｃ３を構成する複数の文字の種類は、平仮名及び漢字である。さらに、ページ画像Ｐ３は、カラー画像である。
【００５２】
図１１Ｄは、ページ画像Ｐ４を示す。ページ画像Ｐ４は、文字列画像Ｃ４及びピクチャＱを含む。文字列画像Ｃ４は、複数の文字によって構成される。文字列画像Ｃ４を構成する複数の文字が配列される方向は、横方向である。また、文字列画像Ｃ４を構成する複数の文字の種類は、平仮名及び漢字である。さらに、ページ画像Ｐ４は、モノクロ画像である。本実施形態において、以下、文字列画像Ｃ１〜Ｃ４の各々を区別して説明する必要のないときは、文字列画像Ｃ１〜Ｃ４を総称して「文字列画像Ｃ」と記載する。
【００５３】
図１２は、実施形態２に係る生成部１２が生成したプレビュー画像ＡＰを示す。プレビュー画像ＡＰは、複数の識別画像Ｄ１〜Ｄ４を含む。複数の識別画像Ｄ１〜Ｄ４の各々は、対応するページ番号画像ＰＮ１〜ＰＮ４を含む。図１２に示すように、生成部１２は、ページ画像Ｐに含まれる文字列画像Ｃを構成する複数の文字が配列される方向に応じて、ページ番号画像ＰＮを構成する複数の文字が配列される方向を変更する。従って、プレビュー画像ＡＰを表示させるときに、ページ画像Ｐを表示させなくても、ユーザーは、ページ番号画像ＰＮを確認してページ画像Ｐに含まれる文字列画像Ｃを構成する文字が配列される方向を確認できる。その結果、ユーザーは容易にページ画像Ｐの配置を確認できる。
【００５４】
また、生成部１２は、ページ画像Ｐに含まれる文字列画像Ｃを構成する複数の文字の種類に応じて、ページ番号画像ＰＮを構成する複数の文字の種類を変更する。従って、プレビュー画像ＡＰを表示させるときに、ページ画像Ｐを表示させなくても、ユーザーは、ページ番号画像ＰＮを確認してページ画像Ｐに含まれる文字列画像Ｃ１を構成する複数の文字の種類を確認できる。その結果、ユーザーは容易にページ画像Ｐの配置を確認できる。
【００５５】
さらに、ページ画像Ｐがカラー画像である場合、生成部１２は、ページ番号画像ＰＮを構成する複数の文字を、それぞれ異なる色に変更する。従って、プレビュー画像ＡＰを表示させるときに、ページ画像Ｐを表示させなくても、ユーザーは、ページ番号画像ＰＮを確認してページ画像Ｐがカラー画像であるか否かを確認できる。その結果、ユーザーは容易にページ画像Ｐの配置を確認できる。
【００５６】
さらに、ページ画像ＰがピクチャＱを含む場合、生成部１２は、識別画像Ｄにアイコン画像Ｒを含ませる。アイコン画像Ｒのデータサイズは、ピクチャＱのデータサイズよりも小さい。従って、プレビュー画像ＡＰを表示させるときに、ページ画像Ｐを表示させなくても、ユーザーは、ページ番号画像ＰＮを確認してページ画像ＰにピクチャＱが含まれるか否かを確認できる。その結果、プレビュー画像ＡＰを速く表示させつつ、ユーザーは容易にページ画像Ｐの配置を確認できる。
【００５７】
以下、具体的に説明する。図１１Ａに示すページ画像Ｐ１の文字列画像Ｃ１を構成する複数の文字が配列される方向は縦方向である。従って、生成部１２は、図１２に示す識別画像Ｄ１のページ番号画像ＰＮ１を構成する複数の文字が配列される方向を縦方向に変更する。また、文字列画像Ｃ１を構成する複数の文字の種類は平仮名及び漢字である。従って、生成部１２は、文字列画像Ｃ１を構成する複数の文字に対応する言語が日本語であると判定し、ページ番号画像ＰＮ１を構成する複数の文字の種類を日本語に対応する文字に変更する。さらに、ページ画像Ｐ１はモノクロ画像である。従って、生成部１２は、ページ番号画像ＰＮ１を構成する複数の文字を黒色で表示する。
【００５８】
また、図１１Ｂに示すページ画像Ｐ２の文字列画像Ｃ２を構成する複数の文字が配列される方向は横方向である。従って、生成部１２は、図１２に示すページ番号画像ＰＮ２を構成する複数の文字が配列される方向を横方向に変更する。また、文字列画像Ｃ２を構成する複数の文字の種類はアルファベットである。従って、生成部１２は、文字列画像Ｃ２を構成する複数の文字に対応する言語が英語であると判定し、ページ番号画像ＰＮ２を構成する複数の文字の種類を英語に対応する文字に変更する。さらに、ページ画像Ｐ２はモノクロ画像である。従って、生成部１２は、ページ番号画像ＰＮ２を構成する複数の文字を黒色で表示する。
【００５９】
さらに、図１１Ｃに示すページ画像Ｐ３の文字列画像Ｃ３を構成する複数の文字が配列される方向は横方向である。従って、生成部１２は、図１２に示すページ番号画像ＰＮ３を構成する複数の文字が配列される方向を横方向に変更する。また、文字列画像Ｃ３を構成する複数の文字の種類は平仮名及び漢字である。従って、生成部１２は、文字列画像Ｃ３を構成する複数の文字に対応する言語が日本語であると判定し、ページ番号画像ＰＮ３を構成する複数の文字の種類を日本語に対応する文字に変更する。さらに、ページ画像Ｐ３はカラー画像である。従って、生成部１２は、ページ番号画像ＰＮ３を構成する複数の文字を、それぞれ異なる色に変更する。例えば、生成部１２は、ページ番号画像ＰＮ３を構成する複数の文字のうち、１文字目を「青色」に変更し、２文字目を「黄色」に変更し、３文字目を「赤色」に変更し、４文字目を「緑色」に変更する。
【００６０】
さらに、図１１Ｄに示すページ画像Ｐ４の文字列画像Ｃ４を構成する複数の文字が配列される方向は横方向である。従って、生成部１２は、図１２に示すページ番号画像ＰＮ４を構成する複数の文字が配列される方向を横方向に変更する。また、文字列画像Ｃ４を構成する複数の文字の種類は平仮名及び漢字である。従って、生成部１２は、文字列画像Ｃ４を構成する複数の文字に対応する言語が日本語であると判定し、ページ番号画像ＰＮ４を構成する複数の文字の種類を日本語に対応する文字に変更する。さらに、ページ画像Ｐ４はモノクロ画像である。従って、生成部１２は、ページ番号画像ＰＮ４を構成する複数の文字を黒色で表示する。さらに、ページ画像Ｐ４はピクチャＱを含む。従って、生成部１２は、識別画像Ｄ４にアイコン画像Ｒを含ませる。アイコン画像Ｒのデータサイズは、ピクチャＱのデータサイズよりも小さい。
【００６１】
ここで、アイコン画像Ｒは、予め表示装置１が記憶する表示装置用の表示装置用アイコン画像、又は、表示装置用アイコン画像を加工した加工画像である。プレビュー画像ＡＰにおいて、アイコン画像Ｒは、例えば、ページ画像Ｐ４におけるピクチャＱの位置に対応する位置に表示される。また、プレビュー画像ＡＰにおいて、アイコン画像Ｒは、例えば、アイコン画像Ｒの大きさを維持したままページ画像Ｐ４におけるピクチャＱの位置に対応する位置に表示されてもよく、この場合、シートに形成されるピクチャＱの印刷範囲を示すピクチャＱ用の枠画像が表示されてもよい。さらに、プレビュー画像ＡＰにおいて、アイコン画像Ｒは、例えば、シートに形成されるピクチャＱの印刷範囲を示すように、拡大又は縮小して表示されてもよい。この場合、ピクチャＱの印刷範囲を示すピクチャＱ用の枠画像が表示されてもよいし、表示されなくてもよい。
【００６２】
以上、図面（図１〜図１２）を参照しながら本発明の実施形態について説明した。但し、本発明は、上記の実施形態に限られるものではなく、その要旨を逸脱しない範囲で種々の態様において実施することが可能である（例えば、下記に示す（１）〜（６））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００６３】
（１）図２を参照して説明したように、プレビュー画像ＡＰに対する操作は、例えば、表示部４０に表示されたプレビュー画像ＡＰに対して接触する接触操作であった。ただし、プレビュー画像ＡＰに対する操作は、マウスのようなポインティングデバイスを用いたプレビュー画像ＡＰに対するクリック操作であってもよい。
【００６４】
（２）図２〜図８を参照して説明したように、シートの両面にページ画像が形成される場合、検出部１３がプレビュー画像ＡＰに対する操作を検出することに応じて、表示部４０は、表示しているシート画像Ｓと異なるシート画像Ｓを表示した。ただし、シートの両面に画像が形成される場合であっても、変更ボタンＢｕ１、Ｂｕ２が表示されてもよい。そして、検出部１３が変更ボタンＢｕ１、Ｂｕ２のいずれかに対する操作を検出することに応じて、表示部４０は、表示しているシート画像Ｓと異なるシート画像Ｓを表示してもよい。
【００６５】
（３）図９Ａ及び図９Ｂを参照して説明したように、シートの片面のみにページ画像が形成される場合、変更ボタンＢｕ１、Ｂｕ２が表示された。そして、検出部１３が変更ボタンＢｕ１、Ｂｕ２のいずれかに対する操作を検出することに応じて、表示部４０は、表示しているシート画像Ｓと異なるシート画像Ｓを表示した。ただし、検出部１３がプレビュー画像ＡＰに対する操作を検出することに応じて、表示部４０は、表示しているシート画像Ｓと異なるシート画像Ｓを表示してもよい。
【００６６】
（４）図２及び図６を参照して説明したように、シートの両面にページ画像が形成される場合、表示部４０は、最初に、ページ画像が形成される複数のシートのうち１枚目のシートに対応するシート画像Ｓ１ｂを含むプレビュー画像ＡＰを表示した。ただし、表示部４０は、最初に、ページ画像が形成される複数のシートのうち１枚目のシートに対応するシート画像Ｓ１ａを含むプレビュー画像ＡＰを表示してもよい。また、表示部４０は、最初に、ページ画像が形成される複数のシートのうち末尾のシートに対応するシート画像ＳＬｂを含むプレビュー画像ＡＰを表示してもよい。
【００６７】
（５）図１１及び図１２を参照して説明したように、生成部１２は、ページ画像Ｐに含まれる文字列画像Ｃを構成する複数の文字が配列される方向に応じて、ページ番号画像ＰＮを構成する複数の文字が配列される方向を変更した。ただし、ページ画像Ｐが文字列画像Ｃを含まない場合、生成部１２は、ページ番号画像ＰＮを構成する複数の文字が配列される方向を、予め設定された方向に変更する。予め設定された方向は、ユーザーが任意に設定する。例えば、予め設定された方向は横方向である。
【００６８】
（６）図１１及び図１２を参照して説明したように、生成部１２は、ページ画像Ｐに含まれる文字列画像Ｃを構成する複数の文字の種類に応じて、ページ番号画像ＰＮを構成する複数の文字の種類を変更した。ただし、ページ画像Ｐが文字列画像Ｃを含まない場合、生成部１２は、ページ番号画像ＰＮを構成する複数の文字の種類を、表示装置１に設定されている言語に対応する文字の種類に変更する。例えば、表示装置１に設定されている言語が日本語である場合、生成部１２は、ページ番号画像ＰＮを構成する複数の文字の種類を日本語に対応する平仮名、カタカナ、漢字、及び数字のうちの少なくとも１つに変更する。
【産業上の利用可能性】
【００６９】
本発明は、表示装置の分野に利用可能であり、産業上の利用可能性を有する。
【図１】
2020174944.tif 000003
【図２】
2020174944.tif 000004
【図３】
2020174944.tif 000005
【図４】
2020174944.tif 000006
【図５】
2020174944.tif 000007
【図６】
2020174944.tif 000008
【図７】
2020174944.tif 000009
【図８】
2020174944.tif 000010
【図９Ａ】
2020174944.tif 000011
【図９Ｂ】
2020174944.tif 000012
【図１０】
2020174944.tif 000013
【図１１Ａ】
2020174944.tif 000014
【図１１Ｂ】
2020174944.tif 000015
【図１１Ｃ】
2020174944.tif 000016
【図１１Ｄ】
2020174944.tif 000017
【図１２】
2020174944.tif 000018
【国際調査報告】
2020174944.tif 000019
2020174944.tif 000020
2020174944.tif 000021
2020174944.tif 000022